(57)【要約】【課題】テレビ等の音響・表示機器を良好に昇降動させることができ、また、収納棚ボックスも昇降動させることのできるアッパーキャビネットを提供する。【解決手段】昇降動可能なテレビ５等の音響・表示機器が収納される機器ボックス３と、昇降動可能な収納棚ボックス４を備えたアッパーキャビネット１において、テレビ５用の昇降機構と収納棚ボックス４用の昇降機構が共通化されて、コンパクトに側面板３ｂ，４ｂの内側に組み込まれている。【選択図】図１
2009125104.tif 000002
【特許請求の範囲】
【請求項１】
昇降動可能な音響・表示機器が収納される機器ボックスと、昇降動可能な収納棚ボックスを備えたアッパーキャビネットにおいて、
前記音響・表示機器用の昇降機構と前記収納棚ボックス用の昇降機構が共通化されていることを特徴とするアッパーキャビネット。
【請求項２】
前記昇降機構は、前記音響・表示機器の昇降と前記収納棚ボックスの昇降を切り替え可能に構成されていることを特徴とする請求項１に記載のアッパーキャビネット。
【請求項３】
前記昇降機構は、前記音響・表示機器および前記収納棚ボックスを同時に昇降可能に構成されていることを特徴とする請求項１に記載のアッパーキャビネット。
【発明の詳細な説明】
【技術分野】
【０００１】
本発明は、昇降動可能な音響・表示機器が収納される機器ボックスと、昇降動可能な収納棚ボックスを備えたアッパーキャビネットに関するものである。
【背景技術】
【０００２】
従来、特許文献１に開示されているように、吊戸棚の扉に収納スペースが設けられ、この収納スペースに、引き出し及び収納可能にモニターが配設されてなるシステムキッチンが存在する。
【特許文献１】特開２００５−２７０３３７号公報
【発明の開示】
【発明が解決しようとする課題】
【０００３】
上記特許文献１に開示されているシステムキッチンでは、モニターを収納スペースから下方に引き出すことができるが、吊戸棚を下方側へ移動させることはできないものであり、吊戸棚がかなり上方に設置されている場合には使いにくいという問題点があった。
【課題を解決するための手段】
【０００４】
本発明は、使い勝手の良い昇降動可能な収納棚ボックスと、昇降動可能な音響・表示機器を備えたアッパーキャビネットを提供することを目的の１つとし、この目的の少なくとも一部を達成するために以下の手段を採った。
本発明は、昇降動可能な音響・表示機器が収納される機器ボックスと、昇降動可能な収納棚ボックスを備えたアッパーキャビネットにおいて、前記音響・表示機器用の昇降機構と前記収納棚ボックス用の昇降機構が共通化されていることを要旨とする。
【発明の効果】
【０００５】
本発明のアッパーキャビネットでは、機器ボックスから音響・表示機器を下方側へ引き出して音響・表示機器を使用することができ、また、収納棚ボックスも適宜下方側へ移動させて、収納棚ボックス内への備品等の出し入れを容易に行うことができる。しかも、音響・表示機器用の昇降機構と収納棚ボックスの昇降機構が共通化されているため、昇降機構がコンパクト化されて良好にアッパーキャビネット内に組み込むことができる。
【０００６】
また、本発明のアッパーキャビネットにおいて、前記昇降機構は、前記音響・表示機器の昇降と前記収納棚ボックスの昇降を切り替え可能に構成することもできる。
こうすれば、必要に応じて音響・表示機器を昇降動させて使用することができ、また別途、収納棚ボックスを昇降動させて使用することができるものとなる。
【０００７】
また、本発明のアッパーキャビネットにおいて、前記昇降機構は、前記音響・表示機器および前記収納棚ボックスを同時に昇降可能に構成することもできる。
こうすれば、音響・表示機器と収納棚ボックスを同時に昇降動させることもでき、使い勝手が良好なものとなる。
【発明を実施するための最良の形態】
【０００８】
次に、本発明を実施するための最良の形態を実施例を用いて説明する。
図１は、例えばキッチンルームのキッチンの上方等に設置されるアッパーキャビネットの斜視構成図である。
アッパーキャビネット１は、例えばキッチンルームの壁面２に固定状に設置された機器ボックス３と、この機器ボックス３の前面に、機器ボックス３とは分離されて設けられた収納棚ボックス４で構成されている。
この収納棚ボックス４の前面には、開閉可能に扉４ａが設けられており、扉４ａを開けて収納棚ボックス４内に備品等を収納できるものである。
【０００９】
壁面２に固定された機器ボックス３は箱状に形成され、下面に開放された開口３ａが形成されており、この開口３ａから下方側へテレビ５を昇降動させて、図１のようにアッパーキャビネット１から吊り下げ状にテレビ５を配置させて、テレビ５をキッチンで見ることができるように構成されている。
機器ボックス３内には、例えば吊り下げ板５ａが昇降動可能に設けられ、吊り下げ板５ａから垂下状に吊り下げ軸５ｂが設けられ、この吊り下げ軸５ｂにテレビ５が連結されており、テレビ５は吊り下げ軸５ｂを介して水平面内で適宜回動させて向きを調整できるように構成されている。
【００１０】
なお、収納棚ボックス４は、機器ボックス３に対して昇降動できるように構成されており、この収納棚ボックス４を下方側へ移動させると、踏み台に乗らなくても容易に扉４ａを開けて内部に備品等を出し入れできるものである。
この収納棚ボックス４の側面を構成する側面板４ｂと、機器ボックス３の側面を構成する側面板３ｂの内側には、テレビ５を昇降動させることができ、かつ収納棚ボックス４を昇降動させることのできる昇降機構６が組み込まれている。
【００１１】
この昇降機構６は、例えば図２に概略図で示すような構成部材で構成されたものである。
図２の昇降機構６は、１個の駆動モータ７を備え、この駆動モータ７のモータ軸７ａの前後端には、それぞれクラッチ板８ａ，８ｂが設けられている。
この前後のクラッチ板８ａ，８ｂに対し離接可能に、前後にそれぞれクラッチ板９ａ，９ｂが配設されており、このクラッチ板９ａ，９ｂは、それぞれ前後に対向状に配設されたスライド軸１０ａ，１０ｂの先端に取り付けられたものであり、スライド軸１０ａ，１０ｂは、機器ボックスの側面板３ｂの内側に取り付けられたスライド軸受１１ａ，１１ｂにそれぞれスライド可能に支持されている。
【００１２】
前後のスライド軸１０ａ，１０ｂには、それぞれ昇降ベルト１３ａ，１３ｂを巻回させた巻き取りボビン１２ａ，１２ｂが固設されており、前後のスライド軸１０ａ，１０ｂの他端側には、ベアリングジョイント１４ａ，１４ｂを介して同軸状に前後にそれぞれボールネジ１５ａ，１５ｂが連結されている。このボールネジ１５ａ，１５ｂは、それぞれスライド軸受１６ａ，１６ｂに支持されて、それぞれスライドモータ１７ａ，１７ｂにより前後方向にスライド移動できるものである。
【００１３】
このような構成の昇降機構６においては、例えばスライドモータ１７ｂを駆動させると、スライドモータ１７ｂの回転によりボールネジ１５ｂが前方向にスライド移動して、ベアリングジョイント１４ｂを介してスライド軸１０ｂを前側へ移動させ、これにより、図２に示すように、スライド軸１０ｂに取り付けられているクラッチ板９ｂがクラッチ板８ｂに当接した状態となる。
この状態で駆動モータ７を駆動させることにより、モータ軸７ａの回転がクラッチ板８ｂからクラッチ板９ｂに伝えられ、スライド軸１０ｂが回転し、巻き取りボビン１２ｂの回転により昇降ベルト１３ｂが巻き取られて、前記吊り下げ板５ａが昇降動される。
なお、駆動モータ７の回転方向を切り替えることで、テレビ５を昇降ベルト１３ｂを介して下方側へ移動させたり、また、上方側へ移動させて、機器ボックス３内にテレビ５を出し入れすることができるものである。
【００１４】
また同様に、前側のスライドモータ１７ａを駆動させてボールネジ１５ａを後側へスライド移動させると、スライド軸１０ａが後側へ移動して、これによりクラッチ板９ａがクラッチ板８ａに当接することとなり、この状態で駆動モータ７を駆動すれば、巻き取りボビン１２ａが回転して昇降ベルト１３ａが巻き取られ、これにより収納棚ボックス４が下方側あるいは上方側へ駆動モータ７の回転方向の切り替えで移動される。
【００１５】
なお、前後のスライドモータ１７ａ，１７ｂを介して、クラッチ板８ａにクラッチ板９ａを当接させ、同時に、クラッチ板８ｂにクラッチ板９ｂを当接させた状態で、駆動モータ７を駆動させれば、テレビ５と収納棚ボックス４を両方同時に昇降動させることができるものである。
このように前後のスライドモータ１７ａ，１７ｂの駆動の切り替えで、テレビ５のみを昇降動させることも、また収納棚ボックス４のみを昇降動させることもでき、また、テレビ５及び収納棚ボックス４を同時に昇降動させることもできる。
【００１６】
次に、図３には、昇降機構６の別例を示す。
図３に概略図で示す昇降機構６では、１個の駆動モータ７から回転軸２１が水平方向に延びており、回転軸２１の前部および後部は、それぞれ軸受２０ａ，２０ｂで回転可能に支持されている。この回転軸２１には水平方向に延びてスライド溝２１ａが形成されており、このスライド溝２１ａに沿って水平方向に移動できるように、回転軸２１に駆動ギヤ２２が設けられている。
この駆動ギヤ２２の上部部位の前面および後面側には、それぞれボールネジ２４ａ，２４ｂの端部が当接状に配置されており、前後のボールネジ２４ａ，２４ｂは、それぞれスライドモータ２３ａ，２３ｂを駆動させることで前後方向へ移動させることができるものであり、前後のスライドモータ２３ａ，２３ｂは連動して駆動されるように構成されている。
【００１７】
また、前記駆動ギヤ２２の下部には、巻き取りギヤ２５ａ，２５ｂが前後に間隔をおいて配置されており、この巻き取りギヤ２５ａ，２５ｂの何れかに駆動ギヤ２２が噛合されるように構成されている。
各巻き取りギヤ２５ａ，２５ｂには、それぞれ回転軸２６ａ，２６ｂが連結されており、回転軸２６ａ，２６ｂは、それぞれ一対の軸受２７，２７，２７，２７で回転可能に支持されている。
前後の回転軸２６ａ，２６ｂには、それぞれ巻き取りボビン２８ａ，２８ｂが取り付けられており、各巻き取りボビン２８ａ，２８ｂには、それぞれ昇降ベルト２９ａ，２９ｂが巻回されている。
【００１８】
このような構造の昇降機構６においては、スライドモータ２３ａ，２３ｂを連動させてボールネジ２４ａ，２４ｂを前後に動かせることで、駆動ギヤ２２をスライド溝２１ａに沿って水平方向に移動させることができ、図３の状態では、駆動ギヤ２２を前側の巻き取りギヤ２５ａに噛合させた状態である。
この状態で駆動モータ７を駆動させると、回転軸２１の回転により駆動ギヤ２２が回転し、この回転力が巻き取りギヤ２５ａに伝えられて回転軸２６ａが回転し、これにより巻き取りボビン２８ａが回転して昇降ベルト２９ａが巻き取られ、駆動モータ７の回転方向を切り替えることにより、収納棚ボックス４を下方側あるいは上方側へ昇降動させることができるものである。
【００１９】
テレビ５を昇降動させたい時には、スライドモータ２３ａ，２３ｂを作動させて駆動ギヤ２２を図示右側へ移動させて、駆動ギヤ２２を巻き取りギヤ２５ｂに噛合させることにより、駆動モータ７を駆動させると、駆動ギヤ２２の回転力が巻き取りギヤ２５ｂに伝わり、回転軸２６ｂが回転して巻き取りボビン２８ｂが回転し、昇降ベルト２９ｂを巻き上げることができ、テレビ５を良好に昇降動させることができるものである。
【００２０】
なお、図３の昇降機構６では、テレビ５或いは収納棚ボックス４の何れかを選択して昇降動させるように構成されているが、駆動ギヤ２２を、巻き取りギヤ２５ａ，２５ｂ間に跨るような幅広状のもので構成しておけば、駆動ギヤ２２を前後の巻き取りギヤ２５ａ，２５ｂに同時に噛合させることができ、同時にテレビ５と収納棚ボックス４を昇降動させることができるものとなる。
【００２１】
なお、さらに本例では、前後にスライドモータ２３ａ，２３ｂおよびボールネジ２４ａ，２４ｂを設けたものを例示しているが、前後何れか一方側のみにスライドモータとボールネジを設けて、ボールネジの先端に断面略コの字状の部材を設け、断面略コの字状の部材を駆動ギヤ２２の上面側および側面側に被せ状態にして構成することもでき、このような構造では、前後何れかに１個のスライドモータとボールネジを設けて簡易な構造とすることができる。
【００２２】
このように図２および図３に示す昇降機構６は、何れもテレビ５の昇降動と収納棚ボックス４の昇降動を行う機構が、１個の駆動モータ７で共通化されており、機器ボックス３および収納棚ボックス４の側面板３ｂ，４ｂの内側にコンパクトに組み込むことができるものである。
従って、図２および図３で示した実施例のように駆動モータ７を共通化し、クラッチ板や駆動ギヤ等の動力伝達部材を介してテレビ５の昇降ベルトと収納棚ボックス４の昇降ベルトに駆動モータ７からの動力を伝えることにより、テレビ５や収納棚ボックス４の昇降を行うことができる。
【００２３】
次に、図４に示すアッパーキャビネットは変更例であり、図４では、キッチンルームの壁面２側に、昇降動可能に収納棚ボックス４を設け、この前面側に機器ボックス３を配設したものであり、機器ボックス３内にはテレビ５が収納されており、このテレビ５は機器ボックス３の底面の開口３ａを通して昇降動させることができるものである。
なお、機器ボックス３の前面には透明部材３ｃが設けられており、機器ボックス３内にテレビ５が収納された状態でも、この透明部材３ｃを通してテレビ５を見ることができるように構成されている。
【００２４】
本例においても、収納棚ボックス４の側面板４ｂおよび機器ボックス３の側面板３ｂの内側に、図２あるいは図３のような共通化された昇降機構６がコンパクトに組み込まれており、テレビ５を昇降動させることができ、また、収納棚ボックス４も昇降動させることができ、別々に昇降動させることも、同時に昇降動させることもできるものである。
【００２５】
次に、図５は、図１のアッパーキャビネットの変更例を示すものであり、図５では、テレビ５の底面側に、カメラ３０と人体検知センサ３１を取り付けて構成したものである。
このようにカメラ３０を取り付けておけば、料理のレシピをカメラ３０で記録することができるものとなる。
また、人体検知センサ３１を設けておけば、人体検知センサ３１がキッチン内での人の動きを検知して、人の動きに追尾して吊り下げ軸５ｂを中心としてテレビ５が水平面内で方向を変えるように構成することができ、キッチン内で人が移動しても、逐一テレビ５の向きを手で変えることなく良好にテレビを見ることができるものとなる。
【図面の簡単な説明】
【００２６】
【図１】アッパーキャビネットの斜視構成図である。
【図２】テレビおよび収納棚ボックスを昇降動させるための昇降機構の一例を示す概略構成図である。
【図３】昇降機構の別例を示す概略構成図である。
【図４】アッパーキャビネットの変更例を示す斜視構成図である。
【図５】さらに異なるアッパーキャビネットの変更例を示す斜視構成図である。
【符号の説明】
【００２７】
１  アッパーキャビネット
２  壁面
３  機器ボックス
３ａ  開口
３ｂ  側面板
３ｃ  透明部材
４  収納棚ボックス
４ａ  扉
４ｂ  側面板
５  テレビ（音響・表示機器）
５ａ  吊り下げ板
５ｂ  吊り下げ軸
６  昇降機構
７  駆動モータ
７ａ  モータ軸
８ａ，８ｂ，９ａ，９ｂ  クラッチ板
１０ａ，１０ｂ  スライド軸
１１ａ，１１ｂ  スライド軸受
１２ａ，１２ｂ  巻き取りボビン
１３ａ，１３ｂ  昇降ベルト
１４ａ，１４ｂ  ベアリングジョイント
１５ａ，１５ｂ  ボールネジ
１７ａ，１７ｂ  スライドモータ
２１  回転軸
２１ａ  スライド溝
２２  駆動ギヤ
２３ａ，２３ｂ  スライドモータ
２４ａ，２４ｂ  ボールネジ
２５ａ，２５ｂ  巻き取りギヤ
２６ａ，２６ｂ  回転軸
２７  軸受
２８ａ，２８ｂ  巻き取りボビン
２９ａ，２９ｂ  昇降ベルト
３０  カメラ
３１  人体検知センサ
【図１】
2009125104.tif 000003
【図２】
2009125104.tif 000004
【図３】
2009125104.tif 000005
【図４】
2009125104.tif 000006
【図５】
2009125104.tif 000007